(57)【特許請求の範囲】
【請求項１】
始動条件の成立に伴って特別図柄が変動を開始し、該特別図柄が所定の態様にて停止した際に、大入賞口を所定時間、所定回数だけ連続的に開成動作させる特別遊技状態に移行可能なパチンコ遊技機であって、
前記大入賞口の開成時間が長い前記特別遊技状態に移行し且つ当該特別遊技状態後に特典遊技として時間短縮遊技を付与する第１の大当たり遊技と、前記大入賞口の開成時間が前記第１の大当たり遊技より短い前記特別遊技状態に移行し且つ当該特別遊技状態後に遊技状態が変化しない小当たり遊技と、を実行する特別遊技実行手段と、
外部装置に対して信号を出力するための外部出力手段と、
前記特別図柄の変動開始又は変動停止を示す図柄変動信号と、前記特別遊技状態に移行したことを示す状態信号を前記外部出力手段を介して外部に出力する制御を実行可能な制御手段と、を備え、
前記制御手段は、前記時間短縮遊技中に前記小当たり遊技に移行した場合は、前記状態信号を前記外部出力手段から出力しないように制御することを特徴とするパチンコ遊技機。
【請求項２】
前記特別遊技実行手段は、前記大入賞口の開成時間が長い前記特別遊技状態に移行し且つ当該特別遊技状態後に特典遊技として確率変動遊技を付与する第２の大当たり遊技を実行可能に構成され、
前記制御手段は、前記確率変動遊技中に前記第２の大当たり遊技に移行した場合は、前記状態信号を前記外部出力手段を介して出力することを特徴とする請求項１に記載のパチンコ遊技機。
【請求項３】
前記時間短縮遊技は、前記始動条件の成立確率を高めた遊技、前記確率変動遊技は、前記始動条件の成立確率及び前記第１及び第２の大当たり遊技の当選確率を高めた遊技であることを特徴とする請求項２に記載のパチンコ遊技機。
【発明の詳細な説明】
【技術分野】
【０００１】
本発明は、パチンコ遊技機に関わり、特に遊技機ごとに設けられている情報表示装置に出力する外部出力信号に関するものである。
【背景技術】
【０００２】
従来からパチンコ遊技機では、遊技機ごとに外部装置として遊技機の遊技情報を表示する情報表示装置が設けられている。このような情報表示装置は、通常、対応する遊技機のスタート回数や大当たり回数を表示する機能を備えており、パチンコ遊技機から出力される外部出力信号に基づいてスタート回数や大当たり回数の表示制御が行われている。
ところで、近年のパチンコ遊技機は、始動入賞口に遊技球が入賞するという始動条件の成立に伴って特別図柄が変動を開始し、特定の図柄（例えば「７７７」など三つ揃い図柄）にて停止することで、特別遊技状態である大当たり状態に移行するように構成されたものが主流になっており、昨今のパチンコ遊技機における構成では、一概に大当たりと言っても幾つかの種類が設けられている。
例えば、一定期間の間大入賞口が開放状態となるか、もしくは大入賞口に規定の数遊技球の入賞が検出されるかを一回の開放動作とし（この一回の開放動作を１ラウンドという）、この開放動作を１５回繰り返す１５ラウンド大当たりや、大入賞口の開放動作を２回繰り返す２ラウンド大当たりがある。
１５ラウンド大当たりには、大当たり遊技状態終了後に特典遊技として確率変動遊技を付与した大当たり（確変大当たり）と、大当たり遊技状態終了後に特典遊技として時間短縮遊技を付与した大当たり（時短大当たり）がある。なお、確率変動遊技状態とは、大当り遊技状態終了後に始動条件の成立確率及び大当たり遊技状態の当選確率が共に高くなる遊技状態をいう。また時間短縮遊技状態とは、大当り遊技状態終了後に始動条件の成立確率が所定回数だけ高くなる遊技状態をいう。
【０００３】
一方、２ラウンド大当たりには、大当たり遊技状態終了後に特典遊技として確率変動遊技を付与した２ラウンド確変変動大当たりと、２ラウンドの大当たり遊技に特典遊技として時間短縮遊技を付与した大当たり（突時大当たり）があることが知られている。なお、以下、本明細書では「確率変動」のことを「確変」、「時間短縮」のことを「時短」と称することとする。
２ラウンド確変大当たりは、大入賞口の一回あたりの開成時間が極端に短く（例えば０．４秒）設定されているため、大当たりによる出球は期待できないものの、大当たり終了後には確変状態に移行しているため、遊技者の視点からすれば、あたかも突然確変状態に当選したかのように感じさせることができるため、「突確（突然確率変動）大当たり」と呼ばれている。
さらに、近年のパチンコ遊技機では、ハズレの一種であるものの２ラウンド（０．４秒×２回）の大入賞口の開成動作のみを行う小当たりなどが設けられているものがある。
【０００４】
このような小当たり機能は、２ラウンドの大入賞口の開成と確変遊技を付与した突確大当たりと共に備えることで、外見上は突確大当たりと小当たりの２つ判別が付き難いようにし、どちらの遊技状態であるのかを推測、もしくは全くわからない状態で遊技を進めることによるドキドキ感を演出するために設けられている。
なお、特許文献１には、突確当たりと小当たりを有するパチンコ機に対応して設けられ、遊技機から出力されるスタート信号に基づいて、スタート回数（１回前、２回前）を表示するとともに、遊技機から出力される各信号（特定遊技状態情報）に基づいて大当たり状態の発生と、突確当たり状態並びに小当たり状態の発生とを識別し、突確当たり状態並びに小当たり状態の発生を認識したときに、スタート信号の入力に応じて減算更新するカウントダウン表示を実施する制御手段を備えた情報表示装置が開示されている。
【特許文献１】特開２００７−１５１７６３号公報
【発明の開示】
【発明が解決しようとする課題】
【０００５】
上記したような情報表示装置は、大当たり回数やスタート回数を表示することで、遊技者が遊技台を選定する際の情報を提示するといった機能と、遊技を行っている遊技者に現在遊技している遊技台の状態を提示するといった機能を有している。例えば、大当たり終了後に特典遊技として１００回転の時短遊技が付与された場合、遊技者は情報表示装置に表示されるスタート回数から時短遊技の残り期間（回転数）を把握するようにしていた。
従来の情報表示装置における大当たり回数の判定は、通常、パチンコ遊技機からの大当たり信号に基づいて行われるため、営業時間内であれば、大当たりに当選しない限り情報表示装置のスタート回数がリセットされることがなく、従って遊技者が情報表示装置のスタート回数から時短遊技の残り回転数を把握することに何ら支障が生じることがなかった。
ところが、大当たりの他に小当たりを備えたパチンコ遊技機によっては、小当たりに当選した場合も外部信号として大当たり信号を出力するように構成されたものがあり、このようなパチンコ遊技機に対応する情報表示装置では、小当たりに当選した場合も大当たりと判定して、大当たり回数のカウントアップとスタート回数のカウントのリセットを行うようにしていた。しかしながら、小当たり発生後の遊技状態は、通常は小当たり発生前の遊技状態に戻るため、例えば、時短遊技中において小当たりに当選して情報表示装置のスタート回数がリセットされてしまうと、情報表示装置のスタート回転数から残りの時短回数が分からなくなるという問題点があった。
【０００６】
また、上記特許文献１の情報表示装置はパチンコ遊技機から複数の遊技状態信号を出力する必要があるという問題があった。また情報表示装置を新たに装置する必要があり、既存の情報表示装置には適用することができないという問題点もあった。
本発明は、上記したような点を鑑みてなされたものであり、大当たりと小当たりを備えたパチンコ遊技機において時短遊技中に小当たりに当選した場合でも、遊技機に対応した情報表示装置において残りの時短回数が分かるようにしたパチンコ遊技機を提供することを目的とする。
【課題を解決するための手段】
【０００７】
本発明は、上述の課題を解決するためになされたものであり、以下の形態により実現することが可能である。
即ち、第１の形態では、始動条件の成立に伴って特別図柄が変動を開始し、該特別図柄が所定の態様にて停止した際に、大入賞口を所定時間、所定回数だけ連続的に開成動作させる特別遊技状態に移行可能なパチンコ遊技機であって、前記大入賞口の開成時間が長い前記特別遊技状態に移行し且つ当該特別遊技状態後に特典遊技として時間短縮遊技を付与する第１の大当たり遊技と、前記大入賞口の開成時間が前記第１の大当たり遊技より短い前記特別遊技状態に移行し且つ当該特別遊技状態後に遊技状態が変化しない小当たり遊技と、を実行する特別遊技実行手段と、外部装置に対して信号を出力するための外部出力手段と、前記特別図柄の変動開始又は変動停止を示す図柄変動信号と、前記特別遊技状態に移行したことを示す状態信号を前記外部出力手段を介して外部に出力する制御を実行可能な制御手段と、を備え、前記制御手段は、前記時間短縮遊技中に前記小当たり遊技に移行した場合は、前記状態信号を前記外部出力手段から出力しないように制御することを特徴とする。
第２の形態では、前記特別遊技実行手段は、前記大入賞口の開成時間が長い前記特別遊技状態に移行し且つ当該特別遊技状態後に特典遊技として確率変動遊技を付与する第２の大当たり遊技を実行可能に構成され、前記制御手段は、前記確率変動遊技中に前記第２の大当たり遊技に移行した場合は、前記状態信号を前記外部出力手段を介して出力することを特徴とする。
第３の形態では、前記時間短縮遊技は、前記始動条件の成立確率を高めた遊技、前記確率変動遊技は、前記始動条件の成立確率及び前記第１及び第２の大当たり遊技の当選確率を高めた遊技であることを特徴とする。
【発明の効果】
【０００８】
本発明によれば、制御手段は時間短縮遊技中に小当たり遊技に当選した場合は外部出力手段に対して特別遊技状態であることを示す状態信号を出力しないように構成したことで、小当たり遊技に当選した場合でも、外部出力手段に接続される情報表示装置のスタート回数表示がリセットされてしまうといったことがなく、遊技者は時短遊技中の残りの回転数を容易に確認することができる。
【発明を実施するための最良の形態】
【０００９】
以下、本発明のパチンコ遊技機の実施形態について説明する。
図１は、本発明の実施形態に係るパチンコ遊技機の一例を示した全体正面図である。
この図に示すパチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４の遊技球を発射する発射レバー５等が設けられている。また、受け皿部４の上部には、例えば遊技演出用のチャンスボタンや十字キーなどの操作部６や遊技球の購入ボタンや購入取り消しボタンなどが設けられている。
遊技盤３の略中央には、図柄演出表示装置９が配置されている。図柄演出表示装置９は、例えば、液晶表示装置等の液晶表示パネルによって構成され、通常動作状態の時は、図示しない特別図柄画像が表示される。また、所謂リーチ状態や特別遊技状態の時は、それぞれの遊技状態であることを示す演出画像等が表示される。
図柄演出表示装置９の下方には、図柄演出表示装置９の特別図柄を可変表示させるための可変入賞装置１１が設けられている。
また、図柄演出表示装置９の左側には、遊技盤３の右下部に配置された普通図柄表示装置１０に表示される普通図柄を作動させるためのゲート１２が設けられている。普通図柄表示装置１０の右側には、特別図柄表示装置７が設けられている。
さらに、可変入賞装置１１の下方には、特別遊技状態の一つである大当り状態のときに開成状態になる開閉扉を有する大入賞口１３が設けられている。
可変入賞装置１１は、図柄演出表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
【００１０】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
特別図柄表示装置７又は図柄演出表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。なお、特別図柄表示装置７に表示する特別図柄と、図柄演出表示装置９に表示する特別図柄は、必ずしも一致させる必要は無い。また図柄演出表示装置９には特別図柄を必ずしも表示する必要はない。
【００１１】
図２は、図１に示したパチンコ遊技機の操作部の構成を示した図である。
パチンコ遊技機１の操作部６は、操作ボタンであるチャンスボタン（図２においては「ＣＨＡＮＣＥ」と表記）１９と十字キー２０とを備えている。チャンスボタン１９は凸状ボタンにより構成される。また十字キー２０は、図柄演出表示装置９に表示される文字や図形などを指し示す位置を変更するカーソルキー３０１〜３０４と、カーソルキー３０１〜３０４の操作によって選択された文字や図形などを確定する「ＥＮＴＥＲ」キー３０５とを備えている。なお、チャンスボタン１９は、凸状ボタンの他、タッチパネル方式を採用した入力パッドなどであってもよい。
【００１２】
図３は、本実施の形態のパチンコ遊技機の遊技制御を行う遊技制御装置の構成を示したブロック図である。
図３に示す遊技制御装置には、主（メイン）制御基板として遊技の進行を制御する遊技制御基板１１１が設けられていると共に、副（サブ）制御基板として遊技の演出を制御する演出制御基板１２０とランプ制御基板１４１、賞球を制御する賞球制御基板１５１等が設けられている。
遊技制御基板１１１は、ＣＰＵ１１２、ＲＯＭ１１３、ＲＡＭ１１４、及び入出力インターフェース（以下、「Ｉ／Ｏ」と称する）１１５、１１６を有し、当該パチンコ遊技機の主たる制御を行う。遊技制御基板１１１のＩ／Ｏ１１５には、可変入賞装置１１の上始動ポケット１４に設けられた上始動ＳＷ１４ａや図示しない下始動口に設けられた下始動ＳＷ１４ｂ、遊技盤３上の始動ゲート１２の始動ゲートＳＷ１２ａが接続されている。また遊技盤３の普通入賞口１６に設けられた普通入賞口ＳＷ１６ａ、１６ｂ、大入賞口１３に設けられた大入賞口ＳＷ１３ａ、大入賞口１３の開閉扉を夫々開閉動作させるための大入賞口ソレノイド１３ｂ、可変入賞装置１１に備えられた電動式チューリップ１７を開閉動作させるための始動口ソレノイド１７ａなどが接続されている。
外部出力手段である外部インターフェース（Ｉ／Ｆ）２１は、例えば各パチンコ遊技機１の上方位置にそれぞれ対応して設置される情報表示装置３０に接続されている。なお、情報表示装置３０については後述する。
一方、遊技制御基板１１１のＩ／Ｏ１１６は、演出制御基板１２０の演出制御部１２１に設けられているＩ／Ｏ１２５、及び賞球制御基板１５１のＩ／Ｏ１５５と接続される。
このように構成される遊技制御基板１１１は、始動条件の成立、即ち上始動ポケットの上始動ＳＷ１４ａや、電動式チューリップ１７内の下始動ＳＷ１４ｂにおいて遊技球の入賞を検出したときに、ＣＰＵ１１２において演出パターン制御コマンドの抽選を行い、取得した演出パターン制御コマンドを演出制御基板１２０の演出制御部１２１に送信する。
【００１３】
演出制御基板１２０は、演出制御部１２１と画像・音声制御部１３１とから構成される。演出制御部１２１は、ＣＰＵ１２２、ＲＯＭ(記憶手段）１２３、ＲＡＭ１２４、Ｉ／Ｏ１２５、１２６、１２７を有し、演出全体の制御を行う。また、ＲＯＭ１２３には、図柄演出表示装置９に表示する予告演出画像データや各種リーチ演出の画像データ、大当り遊技状態のときに図柄演出表示装置９に表示する大当り遊技状態用の画像データ、スピーカ８から出力する特別遊技状態用音声データ等が記憶されている。
演出制御部１２１のＩ／Ｏ１２５は、遊技制御基板１１１のＩ／Ｏ１１６と操作部６とが接続され、Ｉ／Ｏ１２６は、画像・音声制御部１３１のＩ／Ｏ１３５に接続され、Ｉ／Ｏ１２７はランプ制御基板１４１のＩ／Ｏ１４５に接続される。
画像・音声制御部１３１は、ＣＰＵ１３２、ＲＯＭ１３３、ＲＡＭ１３４、Ｉ／Ｏ１３５、１３６を有し、画像及び音声の制御を行う。画像・音声制御部１３１のＩ／Ｏ１３６には、スピーカ８、図柄演出表示装置９、及び普通図柄表示装置１０が接続されている。
画像・音声制御部１３１のＲＯＭ１３３には、図柄演出表示装置９の表示画面９ａに表示する画像データが記憶されている。
ランプ制御基板１４１は、ＣＰＵ１４２、ＲＯＭ１４３、ＲＡＭ１４４、Ｉ／Ｏ１４５、１４６を有し、Ｉ／Ｏ１４６に接続されている各種ランプ、例えば盤面ランプ１４７や前枠ランプ１４８、サイドランプ１４９、操作部６のチャンスボタン１９内に設けられているボタンＬＥＤ１５０等の制御を行う。
【００１４】
賞球制御基板１５１は、ＣＰＵ１５２、ＲＯＭ１５３、ＲＡＭ１５４、Ｉ／Ｏ１５５、１５６を有し、遊技制御基板１１１からの制御信号に基づいて、Ｉ／Ｏ１５６に接続されている払出駆動モータ１５７の駆動制御を行う。また、Ｉ／Ｏ１５６には定位置検出ＳＷ１５８ａや、払出球検出ＳＷ１５８ｂ、球有り検出ＳＷ１５８ｃ、満タン検出ＳＷ１５８ｄ等が接続されている。
このように構成される本実施の形態のパチンコ遊技機１は、可変入賞装置１１の上始動ポケット１４や電動式チューリップ１７を介して下始動口（図示しない）に遊技球が入賞するという始動条件の成立に伴って特別図柄が変動を開始し、特定の図柄にて停止することで、特別遊技状態である大当たり状態に移行するように構成されている。そして、大当たり遊技として、例えば、一定期間、大入賞口１３が開放状態となるか、もしくは大入賞口１３に規定数の遊技球の入賞が検出されるかを一回の開放動作（１ラウンド）とし、この開放動作を１５回繰り返す１５ラウンド大当たり終了後に特典遊技として確変遊技を付与した１５ラウンド確変大当たり（第２の大当たり遊技）と、１５ラウンド遊技終了後に特典遊技として時短遊技を付与した１５ラウンド時短大当たり（第１の大当たり遊技）とを備えている。
また、例えば、大入賞口１３の一回あたりの開成時間が極端に短い（例えば０．４秒）開放動作を二回（２ラウンド）繰り返す２ラウンド大当たり遊技終了後に特典遊技として確変遊技を付与した突確大当たりと、２ラウンド（０．４秒×２回）の大当たり遊技終了後に特典遊技として時短遊技を付与した突時大当たりと、２ラウンド（０．４秒×２回）の大当たり遊技、即ち大入賞口１３の開成動作のみを行う小当たり（小当たり遊技）とを備えている。
【００１５】
図４は、情報表示装置の構成を示した図であり、（ａ）は概略を示した外観図、（ｂ）は内部構成を示した図である。
この図４（ａ）に示す情報表示装置３０は、各パチンコ遊技機１の上方位置にそれぞれ対応して設置される。情報表示装置３０の正面には表示器３１が取り付けられている。
表示器３１には、スタート回数を表示するスタート回数表示領域３２と、当たり回数を表示する大当たり回数表示領域３３と、が設けられており、図４（ａ）に示す例では、スタート回数が「５８」、本日の大当たり回数が「２０」回であることが表示されている。
なお、スタート回数表示領域３２に表示されるスタート回数は、情報表示装置３０の電源を投入してから現在までの特別図柄の変動回数、或いは前回の大当たりからの現在までの特別図柄の変動回数を表す。
このような情報表示装置３０は、図４（ｂ）に示すように、表示器３１と共に制御部３４が設けられており、この制御部３４がパチンコ遊技機１から入力される入力信号に基づいて表示器３１の表示制御を行う。例えば、制御部３４は、パチンコ遊技機１からスタート信号に基づいてスタート回数表示領域３２に表示するスタート回数の値をカウントアップする。また、パチンコ遊技機１からの大当たり信号に基づいて大当たり回数表示領域３３に表示する大当たり回数の値をカウントアップすると共に、スタート回数表示領域３２に表示するスタート回数の値をリセットするようにしている。
【００１６】
ところで、先にも述べたように、大当たりと小当たりを備えたパチンコ遊技機によっては、小当たりに当選した場合も、特別遊技状態を示す状態信号として大当たり信号を出力するように構成されたものがある。このような場合、上記図４に示した情報表示装置３０では、小当たりに当選した場合も大当たりと判定して、大当たり回数表示領域３３の大当たり回数の値をカウントアップと、スタート回数表示領域３２のスタート回数の値をリセットすることになる。しかし、小当たり発生後の遊技状態は、通常は小当たり発生前の遊技状態に戻るため、時短遊技中において小当たりに当選して情報表示装置のスタート回数がリセットされてしまうと、情報表示装置３０のスタート回数から残りの時短回数が分からなくなってしまう。
このため、本実施の形態のパチンコ遊技機１では、これまで同様、始動入賞口１１に遊技球が入賞するといった始動条件の成立に伴って遊技制御基板１１１において特別図柄の変動が停止（確定）する度に外部Ｉ／Ｆ２１にスタート信号を出力すると共に、通常遊技状態、あるいは確変遊技状態のときに、１５ラウンド確変大当たり、１５ラウンド時短大当たり、突確大当たり、突時大当たり、及び小当たりに当選した場合は、外部Ｉ／Ｆ２１に大当たり信号（状態信号）を出力する。そのうえで、時短遊技中のときに、小当たりに当選した場合は、遊技制御基板１１１が外部Ｉ／Ｆ２１に大当たり信号を出力しないように構成した。
【００１７】
図５は、本実施形態のパチンコ遊技機における大当たり信号の出力タイミングを示したタイミングチャートである。
図５に示すように、ある時点において、時短大当たりに当選した場合は、時短大当たりに当選した時点で、遊技制御基板１１１から外部Ｉ／Ｆ２１に出力される大当たり信号がオンになる。つまり、大当たり信号のレベルが「Ｌ」から「Ｈ」になる。そして、大当たりが終了した時点で、遊技制御基板１１１から外部Ｉ／Ｆ２１に出力される大当たり信号がオフになる。つまり、大当たり信号のレベルが「Ｈ」から「Ｌ」になる。
そして、大当たり終了後の特典遊技である時短遊技中に小当たりに当選した場合は、遊技制御基板１１１から外部Ｉ／Ｆ２１に出力される大当たり信号がオフのままとなるようにした。一方、時短遊技終了後、小当たりに当選した場合は、遊技制御基板１１１から外部Ｉ／Ｆ２１に出力される大当たり信号はオンとなる。
また、確変大当たりに当選した場合は、確変大当たりに当選した時点で、遊技制御基板１１１から外部Ｉ／Ｆ２１に出力される大当たり信号がオンになり、大当たりが終了した時点で遊技制御基板１１１から外部Ｉ／Ｆ２１に出力される大当たり信号がオフになる。
次に、大当たり終了後の確変遊技中に小当たりに当選した場合は、遊技制御基板１１１から外部Ｉ／Ｆ２１に出力される大当たり信号がオフからオンになる。つまり、本実施形態では、時短遊技中において小当たりに当選した場合のみ、遊技制御基板１１１から外部Ｉ／Ｆ２１に出力される大当たり信号をオフのまま維持するようにした。
【００１８】
図６は、本実施の形態のパチンコ遊技機における外部信号出力処理の一例を示したフローチャートである。なお、以下に説明する処理は遊技制御基板１１１のＣＰＵ１１２がＲＯＭ１１３に格納されているプログラムを実行することにより実現される。
この場合、まず遊技制御基板１１１のＣＰＵ１１２は、始動入賞口に遊技球が入賞したことを始動ＳＷ１４ａ、１４ｂで検出すると（Ｓ１）、乱数を取得する（Ｓ２）。そして、乱数を取得後、外部Ｉ／Ｆ２１にスタート信号を出力する（Ｓ３）。
次に、ステップＳ２において取得した乱数値に基づいて、大当たりに当選したか否かの判別を行い（Ｓ４）、例えば確変大当たりや時短大当たり、突確大当たりといった大当たり当選したと判別した場合は、ＣＰＵ１１２は外部Ｉ／Ｆ２１に大当たり信号を出力する（Ｓ５）。
一方、ステップＳ４において、大当たりに当選していないと判別した場合は、次にＣＰＵ１１２は小当たりに当選したか否かの判別を行う（Ｓ６）。
そして、ステップＳ６において、小当たりに当選していると判別した場合、次にＣＰＵ１１２は時短遊技中であるか否かの判別を行う（Ｓ７）。ステップＳ７で時点遊技中でないと判別した場合は、ステップＳ５に進み、ＣＰＵ１１２は外部Ｉ／Ｆ２１に大当たり信号を出力して（Ｓ５）、処理を終了する。
これに対して、ステップＳ７において時短遊技中であると判別した場合、或いはステップＳ６において、小当たりに当選していないと判別した場合はそのまま処理を終了する。
【００１９】
このように本実施の形態のパチンコ遊技機１では、時短遊技中に小当たりに当選した場合は、遊技制御基板１１１から外部Ｉ／Ｆ２１に大当たり信号を出力しないようにした。このように構成すれば、時短遊技中において、小当たりに当選した場合でも外部Ｉ／Ｆ２１に接続される情報表示装置３０のスタート回数表示領域３２に表示されるスタート回数の値がリセットされてしまうといったことがなく、遊技者は時短遊技中の残りの回転数を容易に確認することができる。
また、本実施の形態では、時短遊技中以外に小当たりに当選した場合は、遊技制御基板１１１から外部Ｉ／Ｆ２１に大当たり信号を出力するようにしているので、時短遊技中に当選した小当たりの回数はカウントされないものの小当たりを含めた当たり回数を情報表示装置３０に表示することが可能になる。
なお、本実施の形態では、大当たりとして確変大当たり、時短大当たり、突確大当たり、突時大当たり、及び小当たりの機能を備えたパチンコ遊技機を例に挙げて説明したが、これはあくまでも一例であり、少なくとも、時短大当たりと小当たり機能を備えたパチンコ遊技機であれば適用可能である。
また、本発明では、時間短縮遊技中に小当たり遊技に当選した場合は、外部出力手段から状態信号を出力しないようにしたが、別の出力手段から状態信号を出力するようにしても構わないものである。
【図面の簡単な説明】
【００２０】
【図１】本発明の実施形態に係るパチンコ遊技機の一例を示した全体正面図である。
【図２】図１に示したパチンコ遊技機の操作部の構成を示した図である。
【図３】本実施の形態のパチンコ遊技機の遊技制御を行う遊技制御装置の構成を示したブロック図である。
【図４】情報表示装置の構成を示した図であり、（ａ）は概略を示した外観図、（ｂ）は内部構成を示した図である。
【図５】本実施の形態のパチンコ遊技機における大当たり信号の出力タイミングを示したタイミングチャートである。
【図６】本実施の形態のパチンコ遊技機における外部信号出力処理の一例を示したフローチャートである。
【符号の説明】
【００２１】
１…パチンコ遊技機、１１…可変入賞装置、１３…大入賞口、７…特別図柄表示装置、９…図柄演出表示装置、１４…上始動ポケット、１４ａ…上始動ＳＷ、１４ｂ…下始動ＳＷ、２１…外部Ｉ／Ｆ、３０…情報表示装置、３１…表示器、３２…スタート回数表示領域、３３…大当たり回数表示領域、３４…制御部、１１１…遊技制御基板、１１２…ＣＰＵ、１１３…ＲＯＭ
【図１】
0004870696.tif 000002
【図２】
0004870696.tif 000003
【図３】
0004870696.tif 000004
【図４】
0004870696.tif 000005
【図５】
0004870696.tif 000006
【図６】
0004870696.tif 000007